(57)【要約】【課題】  無線通信方式によりハンズフリー通話を実現することが可能で、多様な使用形態に対応することが可能な車載用情報通信装置を提供する。【解決手段】  自動車のシガーライターソケットへ挿入されるシガーライタープラグ部２と、無線方式により外部機器との間で信号の授受を行う通信モジュール（Ｂｌｕｅｔｏｏｔｈモジュール１０）と、スピーカ３とを内蔵する本体部１を備える車載用情報通信装置である。本体部１は、音声を入力するマイクロフォン５と、画像を撮像する撮像部（小型ＣＣＤカメラ６）を有する。小型ＣＣＤカメラ６は、マイクロフォン５の先端面に埋め込まれている。【選択図】  図１
2006197148.tif 000002
【特許請求の範囲】
【請求項１】
自動車のシガーライターソケットへ挿入されるシガーライタープラグ部と、無線方式により外部機器との間で信号の授受を行う通信モジュールと、スピーカとを内蔵する本体部を備え、
前記本体部は、音声を入力するマイクロフォンと、画像を撮像する撮像部を有することを特徴とする車載用情報通信装置。
【請求項２】
前記撮像部は、前記マイクロフォンの先端部に取り付けられていることを特徴とする請求項１記載の車載用情報通信装置。
【請求項３】
前記撮像部は、小型ＣＣＤカメラであることを特徴とする請求項２記載の車載用情報通信装置。
【請求項４】
前記通信モジュールは、Ｂｌｕｅｔｏｏｔｈモジュールであることを特徴とする請求項１から４のいずれか１項記載の車載用情報通信装置。
【請求項５】
さらに表示部を有することを特徴とする請求項１から４のいずれか１項記載の車載用情報通信装置。
【請求項６】
前記撮像部が取り付けられたマイクロフォンを複数備えることを特徴とする請求項２記載の車載用情報通信装置。
【発明の詳細な説明】
【技術分野】
【０００１】
本発明は、自動車内において、いわゆるハンズフリー通話等を実現するための車載用情報通信装置に関する。
【背景技術】
【０００２】
例えば、携帯電話機の使い勝手をさらに改善するという目的で、いわゆるハンズフリータイプの携帯電話機の実現が望まれている。特に、自動車内においては、携帯電話の使用が大きく制限されており、安全性等を考えてもハンズフリー通話が必要である。
【０００３】
このような状況から、自動車内で携帯電話を使用するためのハンズフリーキットが市販されているが、いずれもマイクロフォンやスピーカを携帯電話と接続コードにより接続しなければならず、接続が面倒であるとともに、車内においては接続コードが邪魔になるという欠点を有している。
【０００４】
そこで、本願出願人は、自動車内で携帯電話の無線ハンズフリー使用を可能にする自動車用Ｂｌｕｅｔｏｏｔｈ音声通信装置を提案している（特許文献１を参照）。この自動車用Ｂｌｕｅｔｏｏｔｈ音声通信装置は、シガーライタープラグ部を備えた筐体に、Ｂｌｕｅｔｏｏｔｈモジュールとスピーカ、マイクロフォンを内蔵しており、前記シガーライタープラグ部を自動車のシガーライターソケットに差し込めば、Ｂｌｕｅｔｏｏｔｈ搭載携帯電話器との無線ネットワークが確立されて、携帯電話器の受話音はスピーカから拡声され、送話音はマイクロフォンを通じて携帯電話器に伝送される。
【特許文献１】特開２００４−７２２５９号公報
【発明の開示】
【発明が解決しようとする課題】
【０００５】
近年、携帯電話等においては、テレビ電話機能等、多機能化が進んでおり、自動車内でのハンズフリー通話においても、これに対応した機能が求められている。
【０００６】
本発明は、このような従来の要求に鑑みて提案されたものであり、無線通信方式によりハンズフリー通話を実現することが可能で、多様な使用形態に対応することが可能な車載用情報通信装置を提供することを目的とする。
【課題を解決するための手段】
【０００７】
上述の目的を達成するために、本発明の車載用情報通信装置は、自動車のシガーライターソケットへ挿入されるシガーライタープラグ部と、無線方式により外部機器との間で信号の授受を行う通信モジュールと、スピーカとを内蔵する本体部を備え、前記本体部は、音声を入力するマイクロフォンと、画像を撮像する撮像部を有することを特徴とする。
【０００８】
本発明の車載用情報通信装置は、前記のようにマイクロフォンを備える他、撮像部も備えているので、多様な通話形態が実現される。具体的には、通話相手に画像を送ることができ、表示部を備えていれば、助手席等において、いわゆるテレビ電話が実現される。
【発明の効果】
【０００９】
本発明によれば、自動車内において無線方式によりハンズフリー通話が可能であるので、接続コードを接続する煩わしさが解消され、また自動車内において接続コードが邪魔になることはない。また、マイクロフォンの他、撮像部を備えることから、多様な使用形態を実現することができ、例えば通話者の画像を通話相手に送ることができ、助手席等にお
いてはテレビ電話も実現可能である。
【発明を実施するための最良の形態】
【００１０】
以下、本発明を適用した車載用情報通信装置について、図面を参照して詳細に説明する。
【００１１】
図１は、本発明を適用した車載用情報通信装置の一例を示すものである。この車載用情報通信装置では、筐体状の本体部１に、自動車に備えられているシガーライターソケットに挿し込んで使用するためのシガーライタープラグ部２が形成されている。また、本体部１の前面には、スピーカ３が設けられており、ここから音声を車内に拡声するようになっている。
【００１２】
さらに、前記本体部１内には、無線方式により外部機器（携帯電話器）との間で信号の授受を行う通信モジュールであるＢｌｕｅｔｏｏｔｈモジュール（図示は省略する。）が内蔵されている。Ｂｌｕｅｔｏｏｔｈは２．４ＧＨｚ周波数帯を使用してコンピュータや携帯電話器や家電機器、或いは車載電子機器など種々の機器を無線接続して双方向通信を行うための規格であり、通信制御を行うホストとこれに１つ乃至７つのスレーブを無線接続して、パケットベースのデータ通信とリアルタイムの音声通信を行えるように構成されている。２００１年現在の仕様書Ｖｅｒ．１．１においては、下りデータ伝送速度が７２１ｋｂｐｓ、上りは５７．６ｋｂｐｓ（最大）で、これとは別に６４ｋｂｐｓの音声チャネルが３チャネル設けられている。
【００１３】
本実施形態の車載用情報通信装置において特徴的なのは、マイクロフォンのみならず、撮像部、例えば小型ＣＣＤカメラを備えていることである。具体的には、本体部１の図中左側には、所定の長さを有するフレキシブルアーム４が設置されており、その先端にマイクロフォン５が取り付けられている。このマイクロフォン５は、例えば運転者用であり、前記フレキシブルアーム４の長さは、マイクロフォン５が運転者の音声を効率的に拾えるような長さとされている。
【００１４】
そして、前記マイクロフォン５には、その先端面に小型ＣＣＤカメラ６が埋め込まれており、周囲の状況を撮像することが可能とされている。したがって、マイクロフォン５を例えば運転者に向ければ、必然的に小型ＣＣＤカメラ６も運転者の方向を向き、通話相手に通話者（運転者）の画像を送ることが可能である。さらに、受信した画像を、本実施形態の車載用情報通信装置を介して、例えば車載用オーディオシステムの表示部、あるいはナビゲーションシステムの表示部に出力すれば、例えば助手席の同乗者がテレビ電話可能となる。
【００１５】
なお、本体部１の上面には操作ボタン７が設けられており、これを操作することにより、装置全体のオン／オフや、マイクロフォンのオン／オフ、小型ＣＣＤカメラ６のオン／オフ等を設定することが可能である。
【００１６】
図２は、本実施形態の車載情報通信装置の構成を示すブロック図である。前記の通り、本体部１内には、Ｂｌｕｅｔｏｏｔｈモジュール１０及びスピーカ３が内蔵されるとともに、マイクロフォン５及び小型ＣＣＤカメラ６が取り付けられている。ここで、Ｂｌｕｅｔｏｏｔｈモジュール１０は、マイクロコンピュータ１１、受信部１２、送信部１３、受信部１２と送信部１３のアンテナ接続を切換えるセレクタ１４を備えている。マイクロフォン５が出力する音声信号は、Ａ／Ｄコンバータ１５によりディジタル変換されてマイクロコンピュータ１１へ入力され、マイクロコンピュータ１１が出力するディジタル音声信号は、Ｄ／Ａコンバータ１６によりアナログ変換されてスピーカ３へ出力される。小型ＣＣＤカメラ６の撮像信号は、画像処理部１７により処理され、マイクロコンピュータ１１
に入力される。
【００１７】
自動車のシガーライターソケットから供給されるＤＣ１２Ｖ電源は、ＤＣ／ＤＣレギュレータ１８により所定の電圧に降圧されてＢｌｕｅｔｏｏｔｈモジュール１０に供給される。Ｂｌｕｅｔｏｏｔｈモジュール１０はＢｌｕｅｔｏｏｔｈ規格準拠プロファイルに対応していて、Ｂｌｕｅｔｏｏｔｈ搭載携帯電話器と通信を行うことができ、Ｉ／Ｏコントローラ１９を介して入力される操作ボタン７の信号により携帯電話器の通話・切断操作を行うようにしている。
【００１８】
図３は、本発明の他の実施形態を示すものであり、図４は、本発明のさらに他の実施形態を示すものである。図３に示す例では、先の実施形態の構成に加えて、送信されてきた画像情報を表示するための表示部８を有する。この場合には、車載用オーディオシステムやナビゲーションシステムの表示部を利用しなくともテレビ電話が可能である。図４に示す例では、小型ＣＣＤカメラ６が埋め込まれたマイクロフォン５が追加されている。接続用コード９の先端に追加されたマイクロフォン５，小型ＣＣＤカメラ６を取り付ければ、例えば後部座席の同乗者も会話に加わることができ、三者通話が可能である。この場合、運転者及び後部座席同乗者の撮像画像を通話相手に送ることができる。
【図面の簡単な説明】
【００１９】
【図１】本発明を適用した車載用情報通信装置の一例を示す概略斜視図である。
【図２】図１に示す車載用情報通信装置の構成を示すブロック図である。
【図３】本発明を適用した車載用情報通信装置の他の例を示す概略斜視図である。
【図４】本発明を適用した車載用情報通信装置のさらに他の例を示す概略斜視図である。
【符号の説明】
【００２０】
１  本体部
２  シガーライタープラグ部
３  スピーカ
４  フレキシブルアーム
５  マイクロフォン
６  小型ＣＣＤカメラ
７  操作ボタン
８  表示部
９  接続用コード
１０  Ｂｌｕｅｔｏｏｔｈモジュール
１１  マイクロコンピュータ
１２  受信部
１３  送信部
１４  セレクタ
１５  Ａ／Ｄコンバータ
１６  Ｄ／Ａコンバータ
１７  画像処理部
１８  ＤＣ／ＤＣレギュレータ
１９  Ｉ／Ｏコントローラ
【図１】
2006197148.tif 000003
【図２】
2006197148.tif 000004
【図３】
2006197148.tif 000005
【図４】
2006197148.tif 000006